(57)【要約】　　　（修正有）【課題】容易にオムツの取替えが可能な上下が繋がった乳幼児用衣服を提供すること、及び着用している乳幼児が冷えたり、蒸れたりするのを防止することができる上下が繋がった乳幼児用衣服を提供する。【解決手段】上下が繋がった乳幼児用衣服１０において、脚部１８、２０の先端には、着用者の足を被う足部３４、３６が設けられており、脚部１８、２０と足部３４、３６の間の前側に着用者の足が露出可能な開口部３８、４０が形成されていることを特徴とする。【選択図】図１
0003098901.tif 000002
【実用新案登録請求の範囲】
【請求項１】
上下が繋がった乳幼児用衣服において、前身頃の腰部に着用者の脚及び臀部を取出し可能な開口部が形成されており、該開口部には、それを開閉可能に被うカバー部材が設けられていることを特徴とする乳幼児用衣服。
【請求項２】
前記カバー部材を引っ張ることにより、前記開口部を開口状態にすることができるように、前記カバー部材を前身頃に係り止めする係止部材が設けられていることを特徴とする請求項１記載の乳幼児用衣服。
【請求項３】
上下が繋がった乳幼児用衣服において、脚部の先端には、着用者の足を被う足部が設けられており、脚部と足部の間の前側に着用者の足が露出可能な開口部が形成されていることを特徴とする乳幼児用衣服。
【請求項４】
前記足部の前記開口部より先端側は、前記開口部から前記脚部内に収容可能に構成されていることを特徴とする請求項３記載の乳幼児用衣服。
【請求項５】
前身頃の腰部に着用者の脚及び臀部を取出し可能な第２開口部が形成されており、該第２開口部には、それを開閉可能に被うカバー部材が設けられていることを特徴とする請求項３又は４記載の乳幼児用衣服。
【請求項６】
前記カバー部材を引っ張ることにより、前記第２開口部を開口状態にすることができるように、前記カバー部材を前身頃に係り止めする係止部材が設けられていることを特徴とする請求項２記載の乳幼児用衣服。
【考案の詳細な説明】
【０００１】
【考案の属する技術分野】
本考案は、ロンパースなど上下が繋がった乳幼児用衣服に関する。
【０００２】
【従来の技術】
従来から、この種の乳幼児用衣服５０は、図５に示すように胴部５２と、左右の袖部５４、５６と、左右の脚部５８、６０と、備えており、これらは前身頃と後身頃によって構成されている。前身頃の胴部５２は、中央を中心に分断されており、さらに脚部５８、６０は、前身頃と後身頃の内側の間に沿って分断されている。これらは、上下方向に連なって複数設けられたボタン６２、６４によって止められるように構成されている。よって、この分断部分を開くことによって乳幼児は、着脱することができ、オムツの取替えは、ボタン６２、６４を外して、乳幼児の腰部分と脚部分をこの衣服から解放することによって行われている。
【０００３】
【考案が解決しようとする課題】
しかしながら、オムツを取り替える度に、ボタンを外したり、止めたりするのは、その作業が煩雑である。また、従来の乳幼児用衣服の脚部は、着用者の足を被っておらず、着用者の脚のみ被うように構成されており、このため、冬季や、夏季であっても冷房が強い部屋では、着用する乳幼児が冷え込んでしまう場合がある。一方、足まで被うように乳幼児衣服を構成することも考えられるが、足まで被ってしまうと、例えば夏場に冷房の強い部屋から外に出た場合、逆に蒸れてしまうという問題がある。
【０００４】
そこで、本考案は、容易にオムツの取替えが可能な上下が繋がった乳幼児用衣服を提供することを第１の目的とする。また、本考案は、着用している乳幼児が冷えたり、蒸れたりするのを防止することができる上下が繋がった乳幼児用衣服を提供することを第２の目的とする。
【０００５】
【課題を解決するための手段】
上記第１の目的を達成するため、本考案は、上下が繋がった乳幼児用衣服において、前身頃の腰部に着用者の脚及び臀部を取出し可能な開口部が形成されており、該開口部には、それを開閉可能に被うカバー部材が設けられていることを特徴とするものである。
【０００６】
このような構成により、前身頃の分断部分を開口しなくても、着用者の脚部及び臀部を乳幼児用衣服から取出すことができるので、容易にオムツの取替え作業を行うことができる。
【０００７】
この際、前記カバー部材を引っ張ることにより、前記開口部を開口状態にすることができるように、前記カバー部材を前身頃に係り止めする係止部材が設けられていることが好ましく、このように係止部材を設けることにより、容易に開口部を開口することが可能となり、より容易にオムツの取替え作業を行うことができる。
【０００８】
また、上記第２の目的を達成するため、本考案は、上下が繋がった乳幼児用衣服において、脚部の先端には、着用者の足を被う足部が設けられており、脚部と足部の間の前側に着用者の足が露出可能な開口部が形成されていることを特徴とするものである。
【０００９】
このような構成により、着用者は、足部によって足を被うことにより、冷え込むのを防止することができ、また開口部から足を出すことにより蒸れるのを防止することができる。本考案に係る乳幼児用衣服において、脚とは骨盤と足首との間をいい、足とは、足首から下の部分をいう。
【００１０】
この際、前記足部の前記開口部より先端側は、前記開口部から前記脚部内に収容可能に構成されていることが好ましく、このように開口部から脚部内に足部の先端側を収容することにより、開口部から足を出している際に足部が邪魔になることを防止することができる。
【００１１】
【考案の実施の形態】
次に、本考案に係る乳幼児用衣服の実施例について図面に基づいて説明する。図１は、本実施例に係る乳幼児用衣服の正面図である。本実施例に係る乳幼児用衣服１０は、前身頃と後身頃を縫合することにより構成されており、前身頃と後身頃によって縫合された乳幼児用衣服１０は、胴部１２と、左右一対の袖部１４、１６と、左右一対の脚部１８、２０と、を備えている。
【００１２】
胴部１２の前身頃は、中央を中心に分断されており、その分断部分は、上下方向に連なって複数設けられたボタン２２によって止められるよう構成されている。また、胴部１２の前身頃の腰部分辺りには、その左右方向全域に亘って山状に形成されたカバー部材２４が設けられている。胴部１２のこのカバー部材２４によって被われている部分には、カバー部材２４と同様に山状に形成された開口部２６が形成されており、カバー部材２４は、図２に示すようにその山状の頂点部を下方に移動させることにより、開口部２６を開閉できるよう構成されている。この開口部２６は、山状に形成することにより、に着用者の脚及び臀部を取出し可能なスペースを十分に確保している。また、カバー部材２４の縁２４Ａの裏面や、縁２４Ａに沿って設けられた突起部２８の裏面には、係止部材としてベロクロファスナー（登録商標）３０が複数設けられており、腰部１２の前身頃のこれらベロクロファスナー（登録商標）３０に対向する位置には、これらベロクロファスナー（登録商標）３０と着脱可能なベロクロファスナー（登録商標）３２が設けられており、これによりカバー部材２４を係止して開口部２６を閉口することができる。
【００１３】
脚部１８、２０それぞれの先端には、図１及び図３に示すように着用者の足を被う足部３４、３６が設けられており、脚部１８、２０と足部３２、３４の間の前側に着用者の足が露出可能な開口部３８、４０が形成されている。この足部３４、３６の開口部３８、４０よりも先端側は、図４に示すように開口部３６、３８から脚部１８、２０内に収容可能に構成されている。
【００１４】
【考案の効果】
以上のように本考案によれば、容易にオムツの取替えが可能な上下が繋がった乳幼児用衣服、及び着用している乳幼児が冷えたり、蒸れたりするのを防止することができる上下が繋がった乳幼児用衣服を提供することができる。
【図面の簡単な説明】
【図１】本考案に係る乳幼児用衣服の実施例の正面図である。
【図２】本実施例に係る乳幼児用衣服の開口部を開口した状態を示す図である。
【図３】本実施例に係る乳幼児用衣服の脚部と足部の拡大側面図である。
【図４】本実施例に係る乳幼児用衣服の足部を脚部に収容した状態の拡大側面図である。
【図５】従来の乳幼児用衣服の正面図である。
【符号の説明】
１０　　乳幼児用衣服
１８、２０　　脚部
３４、３６　　足部
３８、４０　　開口部
【図１】
0003098901.tif 000003
【図２】
0003098901.tif 000004
【図３】
0003098901.tif 000005
【図４】
0003098901.tif 000006
【図５】
0003098901.tif 000007